(57)【要約】【課題】給湯機の給湯設定温度が所定の温度以上になると前記表示手段に給湯設定温度が高温であることを警告する旨の表示を行う事を目的とする。【解決手段】給湯設定を操作する操作手段５と、給湯機の設定状態や警告表示を表示する表示手段２と、前記表示手段に表示する情報を変更する表示情報制御手段１３と、前記操作手段などからの情報に基づき制御を行う制御手段１１を有し、これによって、制御手段１１は、利用者が給湯機リモコンにより給湯機の設定温度を変更したときに設定温度が記憶手段１５に記憶している所定の温度以上に設定されると、表示情報制御手段１３により給湯機リモコンの表示手段２に給湯設定温度が高温である旨の警告表示を行うことで、利用者の目につきやすくなり給湯機リモコンの外観を損ねることなく利用者への注意喚起の有効性を高めることができる。【選択図】図２
2005233442.tif 000002
【特許請求の範囲】
【請求項１】
給湯設定を操作する操作手段と、給湯機の設定状態や警告を表示する表示手段と、前記表示手段に表示する情報を変更する表示情報制御手段と、前記操作手段などからの情報に基づき制御を行う制御手段と、給湯機の設定状態を記憶する記憶手段とを有し、前記表示情報制御手段は、前記操作手段により前記給湯機の給湯設定温度を変更し、前記給湯設定温度が所定の温度以上になると前記表示手段により給湯設定温度が高温であることを表示する給湯機リモコン。
【請求項２】
操作手段の一つである給湯機の運転をオン状態にする運転スイッチを有し、表示情報制御手段は、給湯機運転スイッチの入力により給湯機が運転状態になったとき、給湯設定温度が所定の温度以上であった場合は表示手段に給湯設定温度が高温であることを表示する請求項１に記載の給湯機リモコン。
【請求項３】
警告の表示時間をカウントするタイマーを有し、表示情報制御手段は、操作手段により給湯機の給湯設定温度を変更し、前記給湯設定温度が所定の温度以上になると表示手段に給湯設定温度が高温である警告の表示をし、前記タイマーにより所定の時間が経過すると前記警告の表示を自動的に消すことを特徴とする請求項１または２に記載の給湯機リモコン。
【請求項４】
表示情報制御手段は、操作手段により給湯機の給湯設定温度を変更し給湯設定温度が所定の設定温度以上になると表示手段に給湯設定温度が高温である警告の表示をし、前記タイマーにより所定の時間が経過すると、警告の表示の表示領域を小さくすることを特徴とする請求項１〜３いずれか１項に記載の給湯機リモコン。
【請求項５】
表示手段は、給湯機の設定情報を表示する第一の表示領域と、時間情報やエラー情報などを表示する第二の表示領域から構成され、表示情報制御手段は、操作手段により給湯機の給湯設定温度を変更し給湯設定温度が所定の設定温度以上になると前記表示手段に給湯設定温度が高温である警告の表示をし、前記タイマーにより所定の時間が経過すると、第一の表示領域の全てまたは表示領域の一部に報知した警告の表示を消し、第二の表示領域に警告の表示を継続して表示することを特徴とする請求項１〜４いずれか１項に記載の給湯機リモコン。
【請求項６】
記憶手段に記憶している警告表示の表示時間をカウントするタイマーの設定を利用者が設定変更可能であることを特徴とする請求項１〜５いずれか１項に記載の給湯機リモコン。
【請求項７】
操作手段からの入力情報を判断する入力情報制御手段を有し、警告表示が表示された際に利用者が前記操作手段により所定の入力を行うと、前記入力情報制御手段により警告表示を消す、または警告表示の表示領域を小さくすることを特徴とする請求項１〜６いずれか１項に記載の給湯機リモコン。
【請求項８】
表示手段は入力操作が可能なタッチパネル式ディスプレイであり、警告表示が表示された際に利用者が警告表示の表示領域に触れるまたは所定の操作をすると、前記入力情報制御手段により警告表示を消す、または警告表示の表示領域を小さくすることを特徴とする請求項７に記載の給湯機リモコン。
【請求項９】
利用者に給湯機の設定情報や警告音をガイダンスする音声出力手段を有し、操作手段により給湯機の給湯設定温度を変更し給湯設定温度が所定の設定温度以上になると表示手段に給湯設定温度が高温である警告の表示をするのと同時に、前記音声出力手段は警告音または注意を促すガイダンスを出力することを特徴とする請求項１〜８いずれか１項に記載の給湯機リモコン。
【請求項１０】
第二の表示領域には常にやけど注意を促す警告の表示することを特徴とする請求項１〜９いずれか１項に記載の給湯機リモコン。
【発明の詳細な説明】
【技術分野】
【０００１】
本発明は、給湯機を遠隔操作し、またその状態を知らせる給湯機リモコンに関するものである。
【背景技術】
【０００２】
従来、給湯機のリモコンはやけどの注意を促したり、設定温度を確かめてから使用する旨の警告表示を給湯機リモコン本体に刻印したりシールを貼ったりして、利用者に注意を促している。
【０００３】
また、給湯機リモコンが一定の時間の間使用されないと表示部がオフ状態になる給湯機リモコンの場合は、表示部がオフの場合でも給湯開始を検出しかつ設定温度が高温であると判断すると、利用者に設定温度を報知するために表示部をオンにし給湯設定温度を表示するものがある（例えば、特許文献１参照）。
【特許文献１】特開２００３−２６９７８４号公報
【発明の開示】
【発明が解決しようとする課題】
【０００４】
しかし、上述したように、前記従来の構成では、利用者が意識せず目に入る場所である給湯機リモコン本体の正面に警告表示文を刻印したりシールを貼ったりするので、表示スペースを確保するのが難しいという課題があった。本体正面には給湯機の設定情報を表示する表示部分や、給湯機を遠隔操作するボタンなどが配置されており、また近年急速に進んでいる高齢化に合わせて、見やすさや操作しやすさの向上のため表示部分や操作部分は大きくなる傾向があり表示スペースを確保するのが難しいという問題がある。
【０００５】
また、給湯機リモコンの正面に警告文や注意喚起文が本体正面に表示されているので、デザイン性を損なうという課題があった。
【０００６】
また、利用者にやけどの注意を促すという本来の目的からすると、本体に刻印やシールで注意喚起を表示したとしても長く使用していると利用者の目には入りにくくなり、また給湯温度を表示するだけでは注意を促すには不十分であった。
【課題を解決するための手段】
【０００７】
本発明は上記課題を解決するものであり、前記従来の課題を解決するために、本発明の給湯機リモコンは、給湯設定を操作する操作手段と、給湯機の設定状態や警告表示を表示する表示手段と、前記表示手段に表示する情報を変更する表示情報制御手段を有し、給湯機の設定温度が所定の温度以上になると前記表示手段に給湯設定温度が高温であることを警告する旨の表示を行うものである。
【０００８】
これによって本発明は、給湯機の設定温度が所定の温度以上になると給湯機リモコンの表示部にやけど注意を促す警告文や注意喚起文をリモコンの表示手段に表示することによって警告文や注意喚起文が利用者の目につきやすくなる。
【発明の効果】
【０００９】
本発明の給湯機リモコンは、給湯機リモコンの外観を損ねることなく利用者への注意喚起の有効性を高めることができる。
【発明を実施するための最良の形態】
【００１０】
第１の発明は、給湯設定を操作する操作手段と、給湯機の設定状態や警告表示を表示する表示手段と、前記表示手段に表示する情報を変更する表示情報制御手段と、操作手段などからの情報に基づき制御を行う制御手段と、給湯機の設定状態を記憶する記憶手段を有し、前記表示情報制御手段は、前記操作手段により前記給湯機の給湯設定温度を変更し、前記給湯設定温度が所定の温度以上になると前記表示手段に給湯設定温度が高温であることを警告する旨の表示を行うことを特徴とする給湯機リモコンであり、上記構成、動作によると、利用者が前記給湯機リモコンにより給湯機の設定温度を変更したときに設定温度が所定の温度以上に設定されると、前記給湯機リモコンの表示手段に給湯設定温度が高温である旨の警告表示を行うことで利用者の目につきやすくなり、給湯機リモコンの外観を損ねることなく利用者への注意喚起の有効性を高めることができる。
【００１１】
第２の発明は、第１の発明において、操作手段の一つである給湯機の運転をオン状態にする運転スイッチを有し、前記表示情報制御手段は、前記給湯機運転スイッチの入力により前記給湯機が運転状態になったとき、前記給湯設定温度が所定の温度以上であった場合は前記表示手段に給湯設定温度が高温であることを警告する旨の表示を行うことを特徴とする給湯機リモコンであり、上記構成、動作によると、前回給湯機の運転をオフにしたときの給湯機の設定温度が高くなっており、給湯機の運転をオンにしたときに給湯機の設定温度が高くなっている場合でも、前記給湯機リモコンの表示手段に給湯設定温度が高温である旨の警告表示を行うことで利用者の目につきやすくなり、給湯機リモコンの外観を損ねることなく利用者への注意喚起の有効性を高めることができる。
【００１２】
第３の発明は、第１の発明、または第２の発明において、警告表示の表示時間をカウントするタイマーを有し、前記表示情報制御手段は、前記操作手段により前記給湯機の給湯設定温度を変更し、前記給湯設定温度が所定の温度以上になると前記表示手段に給湯設定温度が高温であることを警告する旨の表示を行い、前記タイマーにより所定の時間が経過すると警告表示を自動的に消すことを特徴とする給湯機リモコンであり、上記構成、動作によると、前記給湯機リモコンが警告表示を表示した後所定の時間が経過すると自動的に警告表示を解除するので、注意喚起した後利用者は特に何も操作しなくても通常の給湯機リモコン画面に戻るので給湯機リモコンとしての操作性を損なうことがない。
【００１３】
第４の発明は、第１〜第３のいずれか１つの発明において、表示情報制御手段は、操作手段により給湯機の給湯設定温度を変更し給湯設定温度が所定の設定温度以上になると表示手段に給湯設定温度が高温であることを警告する旨の表示を行い、前記タイマーにより所定の時間が経過すると、警告表示の表示領域を小さくすることを特徴とする給湯機リモコンであり、上記構成、動作によると、前記給湯機リモコンが警告表示を表示した後所定の時間が経過すると自動的に警告表示の表示面積を小さくして表示手段に表示するので、所定の時間が経過した後も常に表示手段の一部に表示することができるので、常に利用者に注意喚起を行うことができる。
【００１４】
第５の発明は、第１〜第４のいずれか１つの発明において、表示手段は、給湯機の設定情報を表示する第一の表示領域と、時間情報やエラー情報などを表示する第二の表示領域から構成され、表示情報制御手段は、操作手段により給湯機の給湯設定温度を変更し給湯設定温度が所定の設定温度以上になると前記表示手段に給湯設定温度が高温であることを警告する旨の表示を行い、前記タイマーにより所定の時間が経過すると、第一の表示領域の全てまたは表示領域の一部に報知した警告表示を消し、第二の表示領域に警告表示を継続して表示することを特徴とする給湯機リモコンであり、上記構成、動作によると、前記給湯機リモコンが第一の表示領域に警告表示を表示した後、所定の時間が経過すると画面上に大きく表示していた警告表示を消し自動的に第二の表示領域に表示するので、所定の時間が経過した後も常に第二の表示領域に表示することができるので、常に利用者に注意喚起を行うことができる。
【００１５】
第６の発明は、第１〜第５のいずれか１つの発明において、記憶手段に記憶している警告表示の表示時間をカウントするタイマーの設定を利用者が設定変更可能であることを特徴とする給湯機リモコンであり、上記構成、動作によると、警告表示の表示時間を利用者が選択、設定できるようにすることで利用者の使い勝手に合わせた給湯機リモコンを提供することができる。
【００１６】
第７の発明は、第１〜第６のいずれか１つの発明において、操作手段からの入力情報を判断する入力情報制御手段を有し、警告表示が表示された際に利用者が前記操作手段により所定の入力を行うと、前記入力情報制御手段により警告表示を消す、または警告表示の表示領域を小さくすることを特徴とする給湯機リモコンであり、上記構成、動作によると、利用者が警告表示を解除するような作業をすることにより、利用者に表示部を注目させることができるので注意喚起の有効性を高めることができる。
【００１７】
第８の発明は、第７の発明において、表示手段は入力操作が可能なタッチパネル式ディスプレイであり、警告表示が表示された際に利用者が警告表示の表示領域に触れるまたは所定の操作をすると、前記入力情報制御手段により警告表示を消す、または警告表示の表示領域を小さくすることを特徴とする給湯機リモコンであり、上記構成、動作によると、警告表示した後に利用者に警告表示しているタッチパネル式ディスプレイを操作することにより、利用者に表示部を注目させることができるので注意喚起の有効性を高めることができる。
【００１８】
第９の発明は、第１〜第８のいずれか１つの発明において、利用者に給湯機の設定情報や警告音をガイダンスする音声出力手段を有し、操作手段により給湯機の給湯設定温度を変更し給湯設定温度が所定の設定温度以上になると表示手段に給湯設定温度が高温であることを警告する旨を表示するのと同時に、前記音声出力手段は警告音または注意を促すガイダンスを出力することを特徴とする給湯機リモコンであり、上記構成、動作によると、表示手段に給湯設定温度が高温であることを警告する旨を表示すると共に、前記音声出力手段から警告音や注意を促すガイダンスを出力することにより、利用者に表示部を注目させることができるので注意喚起の有効性を高めることができる。
【００１９】
第１０の発明は、第１〜第９いずれか１つの発明においで、第二の表示領域には常にやけど注意を促す警告表示を表示することを特徴とする給湯機リモコンであり、前記構成、動作によると、表示手段の一部である前記第二の表示領域には常にやけど注意を促す警告表示を表示しているので、給湯機リモコンの外観を損ねることなく常に利用者へ注意喚起を行うことができる。
【００２０】
以下、本発明の実施の形態について、図面を参照しながら説明する。なお、本実施の形態によって本発明が限定されるものではない。
【００２１】
（実施の形態１）
図１は、本発明の第１の実施の形態における給湯機リモコンの外観図の例を示すものである。図１において、給湯機リモコン１は、給湯機の設定状態や警告表示を表示する表示手段２と、給湯機の運転スイッチである運転スイッチ（操作手段）３と、前記表示手段２の上に設けられているタッチパネル（操作手段）４と、給湯機の設定温度などを変更する設定値変更ボタン（操作手段）５と、給湯機の設定情報や警告音をガイダンスする音声出力手段６と、給湯機の運転状態を報知する運転ランプ７を備えている。
【００２２】
また、図２は、本発明の第１の実施の形態における給湯機リモコンの構成図の例を示すものである。図２において、給湯機リモコン１は、給湯機リモコン１の動作を制御する制御手段１１と、操作手段３または前記タッチパネル４からの入力情報を判断する入力情報制御手段１２と、前記表示手段に表示する情報を変更する表示情報制御手段１３と、警告表示の表示時間をカウントするタイマー１４と、前記給湯機リモコンの設定情報などを記憶する記憶手段１５を備えている。
【００２３】
以上のように構成された、給湯機リモコンにおいて、その動作、作用について、図３〜図５を用いて説明する。図３は、利用者が前記給湯機リモコンの設定温度を変更したとき警告表示が表示するフローチャートである。
【００２４】
給湯機の設定温度を変更する際給湯機の運転がＯＦＦ状態であるならば、まず給湯機前記運転スイッチ３を押すと（Ｓ−１）前記給湯機リモコン１に前回給湯機の運転をＯＦＦしたときの給湯機の設定温度が表示される（Ｓ−３）。そのとき、そのとき前記制御手段１１は前記記憶手段１５に記憶している給湯温度が高温であるかどうかの判定を行う判定値と利用者が設定している給湯機の設定温度設定値を比較し、前記設定温度の設定値が前記判定値以上であるかどうかを判定する（Ｓ−４）。判定値以下である場合は、通常の給湯機リモコンの状態に戻り利用者による入力待ちまたは給湯機からの入力待ちの状態となる（Ｓ−５）。判定値以上である場合は、前記表示手段２に給湯設定温度が高温であることを警告する旨の表示を行う（Ｓ−６）。
【００２５】
図４は警告表示画面の例を示す図であるが、警告表示の内容は利用者に高温設定になっていることを報知できればよいので、「やけどに注意」「高温設定になっています」などの表現でもよくその内容は限定されるものではない。また、警告表示の表示領域は図４の警告表示画面の例を示す図では設定温度と警告文が両方表示しているが画面全体に警告文を表示するようにしてもその効果は変わらない。また、このとき音声により同時に「やけどに注意してください」等のガイダンスを出力したり、警告音を出力することで、注意喚起の効果をより高めることができる。
【００２６】
表示手段２に警告文を表示すると共に所定の時間が経過すると自動的に警告文の表示を解除するために、タイマー１４のカウントをスタートし（Ｓ−７）、表示時間をカウントする（Ｓ−８）。そのとき、そのとき前記制御手段１１は前記記憶手段１５に記憶している警告表示の表示時間の設定値と比較し（Ｓ−９）、前記カウント値が前記記憶手段１５に記憶している警告表示の表示時間の設定値より長くなると、前記表示情報制御手段１３は警告表示の表示を解除する（Ｓ−１０）。
【００２７】
また、給湯機の設定温度を変更する際給湯機の運転がＯＮ状態であるならば、利用者が前記設定値変更ボタン５により給湯機の設定温度を変更する（Ｓ−２）。その後のフローは、給湯機の設定温度を変更する際給湯機の運転がＯＦＦ状態であったときのフローと同じである。
【００２８】
このように、利用者が給湯機の設定温度を変更するときに設定温度が所定の判定値よりも大きくなった場合には、前記表示手段２の画面上に高温出湯注意を促す警告文を表示することで、利用者が温度設定時に必ず目にする表示部に警告文を表示するので利用者の目につきやすくなり、利用者への安全注意の注意喚起効果が高くなる。よって、利用者の安全性を高めることができる。
【００２９】
また、前記給湯機リモコンが警告表示を表示した後所定の時間が経過すると自動的に警告表示を解除するので注意喚起した後利用者は特に何も操作しなくても通常の給湯機リモコン画面に戻るので、給湯機リモコンの操作性を損なうことがない。
【００３０】
また、警告文を前記表示手段２に直接表示するので利用者の目につきやすくなるだけでなく、給湯機リモコン本体に注意文を刻印したりシールを貼ったりする必要がないので、前記給湯機リモコンの外観を損なわずデザイン性を落とさない給湯機リモコンを提供することができる。
【００３１】
但し、図５に示すように前記設定値変更ボタン５が前記タッチパネル４上に設けられていないような給湯機リモコンのような場合でも前記表示手段４に警告表示を行い利用者に注意喚起することは変わりないので、その効果は変わらない。
【００３２】
（実施の形態２）
実施の形態２は、実施の形態１に加えて、所定の時間が経過すると警告表示の大きさを小さくする場合の実施例であり、その他の構成、動作は実施の形態１と同じである。そこで以下では実施の形態２の構成、動作について、実施の形態１との相違点を中心に述べ、その他の構成、動作について実施の形態１と同じものとする。
【００３３】
図６は利用者が前記給湯機リモコンの設定温度を変更したとき警告表示が表示するフローチャートを示す図である。実施の形態２の基本的な制御の流れは実施の形態１と同じであり、Ｓ−１からＳ−９までの流れは実施例１のフローチャートを示す図３と共通であるから省略する。実施の形態１と異なる点は、所定の時間警告表示を表示した後に警告表示を完全に解除せずに、表示領域を小さくして前記表示手段２に表示する（Ｓ−１０）‘。
【００３４】
図７は警告表示の表示領域を小さくしたときの給湯機リモコンの画面の例である。前記表示手段２は、給湯機の設定温度や風呂湯量などの給湯機の基本情報を表示する第一の表示領域と、時刻などの情報を表示する第二の表示領域に分かれている。
【００３５】
ステップ６（Ｓ−６）で図４に示すような警告画面を表示した後、タイマー１４のカウントをスタートし（Ｓ−７）、表示時間をカウントする（Ｓ−８）。そのとき前記制御手段１１は記憶手段１５に記憶している警告表示の表示時間の設定値と比較し（Ｓ−９）、前記カウント値が前記記憶手段１５に記憶している警告表示の表示時間の設定値より長くなると、図７に示すように大きく表示していた警告表示を解除し前記表示手段の画面上方の第二の表示領域に警告表示を継続して表示している。
【００３６】
また、図４に示すように第二の表示領域には常に「やけど注意」などの警告文を表示するようにしてもよい。
【００３７】
このように、前記給湯機リモコンが警告表示を表示した後所定の時間が経過すると自動的に警告表示の表示面積を小さくして表示手段に常に表示するので、所定の時間が経過した後も常に表示手段の一部に表示することができるので、常に利用者に注意喚起を行うことができる。
【００３８】
また、常に警告文を前記表示手段２に直接表示するので利用者の目につきやすくなるだけでなく、給湯機リモコン本体に注意文を刻印したりシールを貼ったりする必要がないので、前記給湯機リモコンの外観を損なわずデザイン性を落とさない給湯機リモコンを提供することができる。
【００３９】
（実施の形態３）
実施の形態３は、実施の形態１、２に加えて、利用者によって警告表示を解除できる場合の実施例であり、その他の構成、動作は実施の形態１、２と同じである。そこで以下では実施の形態３の構成、動作について、実施の形態１、２との相違点を中心に述べ、その他の構成、動作について実施の形態１、２と同じものとする。
【００４０】
図３においてステップ６（Ｓ−６）で図４に示すような警告画面を表示した後、例えば利用者が「あついお湯がでます」と表示している表示領域をタッチすると警告表示が消えて第２の表示領域のみに継続して警告表示する。利用者は警告表示を解除する際に、かならず画面上の警告表示を目にする。また表示手段にタッチパネル４が設けられているような場合では、更にその領域に触れてから警告表示が解除されるので、利用者によって警告表示を解除できるようにしたとしても注意喚起は十分に行うことができる。
【００４１】
このように、警告表示した後に利用者に警告表示しているタッチパネル式ディスプレイを操作することにより、利用者に表示部を注目させることができるので注意喚起の有効性を高めることができる。
【００４２】
（実施の形態４）
実施の形態４は、実施の形態１か３に加えて、利用者によって警告表示時間を変更できる場合の実施例であり、その他の構成、動作は実施の形態１〜３と同じである。そこで以下では実施の形態４の構成、動作について、実施の形態１〜３との相違点を中心に述べ、その他の構成、動作について実施の形態１〜３と同じものとする。
【００４３】
図８は警告表示時間を変更する画面の例を示す図である。表示手段２に警告表示の表示時間とその設定時間を変更するための設定値変更ボタン５が設けられている。高温出湯するたびに画面上に警告表示を表示するので、その表示する時間は利用者の好みによって異なる。警告表示の表示時間の最短値を決めておき（最長値も決めておいてもよい）、その値以上で利用者によって警告表示の表示時間を利用者が選択できる。
【００４４】
このように、利用者によって警告表示の表示時間を利用者が選択、設定できるようにすることで利用者の好みや使い勝手に合わせた給湯機リモコンを提供することができる。
【産業上の利用可能性】
【００４５】
本発明の給湯機リモコンは、従来給湯機リモコンの本体に刻印したりシールを貼って表示していた警告表示を、給湯機リモコンの画面上に直接表示するので、利用者の目につきやすくなるので、給湯機リモコンの外観を損ねることなく利用者への安全注意の注意喚起効果が高めた給湯機リモコン、またはその他のリモコンとしての用途に応用できる。
【図面の簡単な説明】
【００４６】
【図１】第１の実施の形態における給湯機リモコンの外観図
【図２】第１の実施の形態における給湯機リモコンのブロック構成図
【図３】第１の実施の形態における給湯機リモコンが警告表示を表示するフローチャート
【図４】第１の実施の形態における給湯機リモコンの警告表示画面の例を示す図
【図５】第１の実施の形態におけるタッチパネルを設けない給湯機リモコンの外観図
【図６】第２の実施の形態における給湯機リモコンが警告表示を表示するフローチャート
【図７】第２の実施の形態における給湯機リモコンの画面構成の例を示す図
【図８】第４の実施の形態における警告表示時間の設定値を変更する画面の例を示す図
【符号の説明】
【００４７】
１  給湯機リモコン
２  表示手段
３  操作手段（運転ボタン）
４  操作手段（タッチパネル）
５  操作手段（設定値変更ボタン）
６  音声出力手段
１２  入力情報制御手段
１３  表示情報制御手段
１４  タイマー
１５  記憶手段
【図１】
2005233442.tif 000003
【図２】
2005233442.tif 000004
【図３】
2005233442.tif 000005
【図４】
2005233442.tif 000006
【図５】
2005233442.tif 000007
【図６】
2005233442.tif 000008
【図７】
2005233442.tif 000009
【図８】
2005233442.tif 000010
【手続補正書】
【提出日】平成16年12月7日(2004.12.7)
【手続補正１】
【補正対象書類名】特許請求の範囲
【補正対象項目名】全文
【補正方法】変更
【補正の内容】
【特許請求の範囲】
【請求項１】
給湯設定を操作する操作手段と、給湯機の設定状態や警告を表示する表示手段と、前記表示手段に表示する情報を変更する表示情報制御手段と、前記操作手段などからの情報に基づき制御を行う制御手段と、給湯機の設定状態を記憶する記憶手段とを有し、前記表示情報制御手段は、前記操作手段により前記給湯機の給湯設定温度を変更し、前記給湯設定温度が所定の温度以上になると前記表示手段により給湯設定温度が高温注意であることの警告を表示する給湯機リモコン。
【請求項２】
操作手段の一つである給湯機の運転をオン状態にする運転スイッチを有し、表示情報制御手段は、給湯機運転スイッチの入力により給湯機が運転状態になったとき、給湯設定温度が所定の温度以上であった場合は表示手段に給湯設定温度が高温注意であることの警告を表示する請求項１に記載の給湯機リモコン。
【請求項３】
警告の表示時間をカウントするタイマーを有し、表示情報制御手段は、操作手段により給湯機の給湯設定温度を変更し、前記給湯設定温度が所定の温度以上になると表示手段に給湯設定温度が高温注意であることの警告の表示をし、前記タイマーにより所定の時間が経過すると前記警告の表示を自動的に消すことを特徴とする請求項１または２に記載の給湯機リモコン。
【請求項４】
表示情報制御手段は、操作手段により給湯機の給湯設定温度を変更し給湯設定温度が所定の設定温度以上になると表示手段に給湯設定温度が高温注意であることの警告の表示をし、前記タイマーにより所定の時間が経過すると、警告の表示の表示領域を小さくすることを特徴とする請求項１〜３いずれか１項に記載の給湯機リモコン。
【請求項５】
表示手段は、給湯機の設定情報を表示する第一の表示領域と、時間情報やエラー情報などを表示する第二の表示領域から構成され、表示情報制御手段は、操作手段により給湯機の給湯設定温度を変更し給湯設定温度が所定の設定温度以上になると前記表示手段に給湯設定温度が高温注意であることの警告の表示をし、前記タイマーにより所定の時間が経過すると、第一の表示領域の全てまたは表示領域の一部に報知した警告の表示を消し、第二の表示領域に警告の表示を継続して表示することを特徴とする請求項１〜４いずれか１項に記載の給湯機リモコン。
【請求項６】
記憶手段に記憶している警告表示の表示時間をカウントするタイマーの設定を利用者が設定変更可能であることを特徴とする請求項１〜５いずれか１項に記載の給湯機リモコン。
【請求項７】
操作手段からの入力情報を判断する入力情報制御手段を有し、警告表示が表示された際に利用者が前記操作手段により所定の入力を行うと、前記入力情報制御手段により警告表示を消す、または警告表示の表示領域を小さくすることを特徴とする請求項１〜６いずれか１項に記載の給湯機リモコン。
【請求項８】
表示手段は入力操作が可能なタッチパネル式ディスプレイであり、警告表示が表示された際に利用者が警告表示の表示領域に触れるまたは所定の操作をすると、前記入力情報制御手段により警告表示を消す、または警告表示の表示領域を小さくすることを特徴とする請求項７に記載の給湯機リモコン。
【請求項９】
利用者に給湯機の設定情報や警告音をガイダンスする音声出力手段を有し、操作手段により給湯機の給湯設定温度を変更し給湯設定温度が所定の設定温度以上になると表示手段に給湯設定温度が高温注意であることの警告の表示をするのと同時に、前記音声出力手段は警告音または注意を促すガイダンスを出力することを特徴とする請求項１〜８いずれか１項に記載の給湯機リモコン。
【請求項１０】
第二の表示領域には常にやけど注意を促す警告の表示することを特徴とする請求項１〜９いずれか１項に記載の給湯機リモコン。
【手続補正２】
【補正対象書類名】明細書
【補正対象項目名】０００７
【補正方法】変更
【補正の内容】
【０００７】
本発明は上記課題を解決するものであり、前記従来の課題を解決するために、本発明の給湯機リモコンは、給湯設定を操作する操作手段と、給湯機の設定状態や警告表示を表示する表示手段と、前記表示手段に表示する情報を変更する表示情報制御手段を有し、給湯機の設定温度が所定の温度以上になると前記表示手段に給湯設定温度が高温注意であることを警告する旨の表示を行うものである。
【手続補正３】
【補正対象書類名】明細書
【補正対象項目名】００１０
【補正方法】変更
【補正の内容】
【００１０】
第１の発明は、給湯設定を操作する操作手段と、給湯機の設定状態や警告表示を表示する表示手段と、前記表示手段に表示する情報を変更する表示情報制御手段と、操作手段などからの情報に基づき制御を行う制御手段と、給湯機の設定状態を記憶する記憶手段を有し、前記表示情報制御手段は、前記操作手段により前記給湯機の給湯設定温度を変更し、前記給湯設定温度が所定の温度以上になると前記表示手段に給湯設定温度が高温注意であることを警告する旨の表示を行うことを特徴とする給湯機リモコンであり、上記構成、動作によると、利用者が前記給湯機リモコンにより給湯機の設定温度を変更したときに設定温度が所定の温度以上に設定されると、前記給湯機リモコンの表示手段に給湯設定温度が高温注意である旨の警告表示を行うことで利用者の目につきやすくなり、給湯機リモコンの外観を損ねることなく利用者への注意喚起の有効性を高めることができる。
【手続補正４】
【補正対象書類名】明細書
【補正対象項目名】００１１
【補正方法】変更
【補正の内容】
【００１１】
第２の発明は、第１の発明において、操作手段の一つである給湯機の運転をオン状態にする運転スイッチを有し、前記表示情報制御手段は、前記給湯機運転スイッチの入力により前記給湯機が運転状態になったとき、前記給湯設定温度が所定の温度以上であった場合は前記表示手段に給湯設定温度が高温注意であることを警告する旨の表示を行うことを特徴とする給湯機リモコンであり、上記構成、動作によると、前回給湯機の運転をオフにしたときの給湯機の設定温度が高くなっており、給湯機の運転をオンにしたときに給湯機の設定温度が高くなっている場合でも、前記給湯機リモコンの表示手段に給湯設定温度が高温注意である旨の警告表示を行うことで利用者の目につきやすくなり、給湯機リモコンの外観を損ねることなく利用者への注意喚起の有効性を高めることができる。
【手続補正５】
【補正対象書類名】明細書
【補正対象項目名】００１２
【補正方法】変更
【補正の内容】
【００１２】
第３の発明は、第１の発明、または第２の発明において、警告表示の表示時間をカウントするタイマーを有し、前記表示情報制御手段は、前記操作手段により前記給湯機の給湯設定温度を変更し、前記給湯設定温度が所定の温度以上になると前記表示手段に給湯設定温度が高温注意であることを警告する旨の表示を行い、前記タイマーにより所定の時間が経過すると警告表示を自動的に消すことを特徴とする給湯機リモコンであり、上記構成、動作によると、前記給湯機リモコンが警告表示を表示した後所定の時間が経過すると自動的に警告表示を解除するので、注意喚起した後利用者は特に何も操作しなくても通常の給湯機リモコン画面に戻るので給湯機リモコンとしての操作性を損なうことがない。
【手続補正６】
【補正対象書類名】明細書
【補正対象項目名】００１３
【補正方法】変更
【補正の内容】
【００１３】
第４の発明は、第１〜第３のいずれか１つの発明において、表示情報制御手段は、操作手段により給湯機の給湯設定温度を変更し給湯設定温度が所定の設定温度以上になると表示手段に給湯設定温度が高温注意であることを警告する旨の表示を行い、前記タイマーにより所定の時間が経過すると、警告表示の表示領域を小さくすることを特徴とする給湯機リモコンであり、上記構成、動作によると、前記給湯機リモコンが警告表示を表示した後所定の時間が経過すると自動的に警告表示の表示面積を小さくして表示手段に表示するので、所定の時間が経過した後も常に表示手段の一部に表示することができるので、常に利用者に注意喚起を行うことができる。
【手続補正７】
【補正対象書類名】明細書
【補正対象項目名】００１４
【補正方法】変更
【補正の内容】
【００１４】
第５の発明は、第１〜第４のいずれか１つの発明において、表示手段は、給湯機の設定情報を表示する第一の表示領域と、時間情報やエラー情報などを表示する第二の表示領域から構成され、表示情報制御手段は、操作手段により給湯機の給湯設定温度を変更し給湯設定温度が所定の設定温度以上になると前記表示手段に給湯設定温度が高温注意であることを警告する旨の表示を行い、前記タイマーにより所定の時間が経過すると、第一の表示領域の全てまたは表示領域の一部に報知した警告表示を消し、第二の表示領域に警告表示を継続して表示することを特徴とする給湯機リモコンであり、上記構成、動作によると、前記給湯機リモコンが第一の表示領域に警告表示を表示した後、所定の時間が経過すると画面上に大きく表示していた警告表示を消し自動的に第二の表示領域に表示するので、所定の時間が経過した後も常に第二の表示領域に表示することができるので、常に利用者に注意喚起を行うことができる。
【手続補正８】
【補正対象書類名】明細書
【補正対象項目名】００１８
【補正方法】変更
【補正の内容】
【００１８】
第９の発明は、第１〜第８のいずれか１つの発明において、利用者に給湯機の設定情報や警告音をガイダンスする音声出力手段を有し、操作手段により給湯機の給湯設定温度を変更し給湯設定温度が所定の設定温度以上になると表示手段に給湯設定温度が高温注意であることを警告する旨を表示するのと同時に、前記音声出力手段は警告音または注意を促すガイダンスを出力することを特徴とする給湯機リモコンであり、上記構成、動作によると、表示手段に給湯設定温度が高温注意であることを警告する旨を表示すると共に、前記音声出力手段から警告音や注意を促すガイダンスを出力することにより、利用者に表示部を注目させることができるので注意喚起の有効性を高めることができる。